(57)【特許請求の範囲】
【請求項１】
タワー本体内にテレビジョン受信機を収容するとともに、テレビジョン受信機の前面を開閉可能な立体形状の扉部を備え、この扉部はタワー本体に備えた軸支部により回動可能に支持され、上記扉部のテレビジョン受信機に面する開口部内に支持ベースを配置してこの支持ベース上に自動車電話を支持するようにしたテレビジョン受信機及び自動車電話付き車両用コンソールタワーであって、
上記扉部内に、該扉部の開閉に連動して上記支持ベースに上記開口部側への移動力又は開口部内への移動力を付与する電話変位手段を設け、
上記電話変位手段が、
上記軸支部から突設した固定突片と、
上記扉部により基部を回動可能に支持され、上記基部から突出した一端を上記固定突片にスライド可能に係合し、他端を上記基部から上記一端とは反対側に突出すると共に、上記基部から上記一端と同方向に突出した操作片を自動車電話を支持する前記支持ベースに回動可能に係合した第１リンクと、
上記扉部により基部を回動可能に支持され、一端を上記第１リンクの他端に回動可能に係合し、他端を上記支持ベースに回動可能に係合した第２リンクと、を具備し、
扉部の開閉動作に連動して、上記固定突片に対する第１リンクの一端のスライド変位を利用してこの第１リンクを回動させ、第１リンクの他端の回動力を第２リンクに伝達し、第１リンクの操作片と第２リンクの他端との回動変位により、支持ベースに上記開口部側への移動力又は開口部内方への移動力を付与して、支持ベース上の自動車電話を開口部領域に露出する取り出し位置と、開口部内の収納位置とに渡って変位させることを特徴とする、テレビジョン受信機及び自動車電話付き車両用コンソールタワー。
【発明の詳細な説明】
【０００１】
【発明の属する技術分野】
この発明は、テレビジョン受信機及び自動車電話付き車両用コンソールタワーに関するものである。
【０００２】
【従来の技術】
従来、図４に示すように、車両用コンソールタワーとして、タワー本体１００内にテレビジョン受信機１０２を収容するとともに、テレビジョン受信機１０２の前面を開閉可能な立体形状の扉部１０１を備え、この扉部１０１のテレビジョン受信機１０２に面する開口部１０３内に自動車電話Ｔを収納した構成のものが知られている。
【０００３】
【発明が解決しようとする課題】
しかしながら、上述した従来の車両用コンソールタワーの場合、扉部１０１を開けて自動車電話Ｔを取り出そうとする場合においても、自動車電話Ｔは開口部１０３内において扉部１０１を閉じた場合と同様な位置にあるため、自動車電話Ｔを取り出しにくく、その使用性が良好ではないという問題があった。
【０００４】
自動車電話Ｔを前記開口部１０３から露出するような位置に配置すれば使用性が向上するが、この場合には、扉部１０１を閉じた際に、自動車電話Ｔの一部がテレビジョン受信機１０２の画面に接触する危険性が高く、実用性に欠ける。
【０００５】
この発明は、上記事情に鑑みてなされたものであり、扉部の開操作で自動車電話を操作しやすい取り出し位置に、扉部の閉操作で自動車電話をこの扉部内の収容位置に変位させることができ、自動車電話の使用性の向上を図ることができるテレビジョン受信機及び自動車電話付き車両用コンソールタワーを提供するものである。
【０００６】
【課題を解決するための手段】
本発明は、タワー本体内にテレビジョン受信機を収容するとともに、テレビジョン受信機の前面を開閉可能な立体形状の扉部をタワー本体に備えた軸支部により回動可能に支持し、この扉部のテレビジョン受信機に面する開口部内に配置した支持ベース上に自動車電話を支持するようにしたテレビジョン受信機及び自動車電話付き車両用コンソールタワーであって、扉部内に、扉部の開閉に連動して支持ベースに開口部側への移動力又は開口部内への移動力を付与する電話変位手段を設け、この電話変位手段が、軸支部から突設した固定突片と、扉部により基部を回動可能に支持され、基部から突出した一端を固定突片にスライド可能に係合し、他端を基部から上記一端とは反対側に突出すると共に、基部から上記一端と同方向に突出した操作片を自動車電話を支持する支持ベースに回動可能に係合した第１リンクと、扉部により基部を回動可能に支持され、一端を第１リンクの他端に回動可能に係合し、他端を支持ベースに回動可能に係合した第２リンクと、を具備し、扉部の開閉動作に連動して、固定突片に対する第１リンクの一端のスライド変位を利用してこの第１リンクを回動させ、第１リンクの他端の回動力を第２リンクに伝達し、第１リンクの操作片と第２リンクの他端との回動変位により、支持ベースに開口部側への移動力又は開口部内方への移動力を付与して、支持ベース上の自動車電話を開口部領域に露出する取り出し位置と、開口部内の収納位置とに渡って変位させることを特徴とする。
【０００９】
上記構成によれば、電話変位手段により、扉部の閉状態で自動車電話を収容位置に変位させ、扉部の開状態で自動車電話を収容位置よりも扉部外部に露出する状態の取り出し位置に変位させるものであるから、自動車電話を取り出す際の使用性の向上を図ることができ、また、自動車電話の収容位置への復帰も円滑に行うことができる。
具体的には、扉部の開閉動作に連動して、固定突片に対する第１リンクの一端のスライド変位を利用してこの第１リンクを回動させるとともにこの第１リンクの他端の回動力を第２リンクに伝達して第２リンクも回動させ、第１リンクの操作片と第２リンクの他端との回動変位により、支持ベースを介して自動車電話を開口部領域に露出する取り出し位置と、開口部内の収納位置とに渡って変位させることができる。
【００１０】
【発明の実施の形態】
以下、この発明の実施の形態を詳細に説明する。
図１はこの発明の実施の形態のテレビジョン受信機及び自動車電話Ｔ付き車両用コンソールタワー１の扉部３が閉状態の概略構成図、図２はこの実施の形態のテレビジョン受信機及び自動車電話Ｔ付き車両用コンソールタワー１の扉部３が開状態の概略構成図、図３は本実施の形態の扉部３の分解斜視図である。
【００１１】
本実施の形態のテレビジョン受信機及び自動車電話Ｔ付き車両用コンソールタワー１は、タワー本体２内に従来例と同様なテレビジョン受信機（図１においては図示せず）を収容するとともに、テレビジョン受信機の前面を開閉可能な立体形状の扉部３をタワー本体２に備えた軸支部４により開閉可能に備えている。
【００１２】
この扉部３のテレビジョン受信機に面する開口部７内に配置した支持ベース５上に電話載置台６及び自動車電話Ｔを収納している。
扉部３は開口部７を有し内部に自動車電話Ｔを収納する収納箱３Ａと、この収納箱３Ａの外側を覆う収納外箱３Ｂと、開口部７側に設置するアッパーパネル３Ｃを具備している。
【００１３】
タワー本体２に備えた軸支部４は、タワー本体２の固定フレーム１１ａに、ボルト８、ナット９を用いて一端を固定したヒンジ１１を備え、このヒンジ１１の他端に扉部３の収納外箱３Ｂに設けた軸受け機構部１２を結合して、扉部３を軸受け機構部１２を支点として図１に示す矢印α，β方向に回動可能に支持している。１２ａは軸受け機構部１２に設けられ、前記扉部３を常時矢印β方向に付勢するコイル状バネである（図３参照）。このコイル状バネ１２ａの基端部は軸支持体１４に形成したスリット１４ｂに嵌挿して係止し、先端部は収納外箱３Ｂに設けた突出ピン１３に係止している。
【００１４】
上記軸支持体１４には先端に矩形突片１４ａが形成されていて、以下に詳述する電話変位手段１０を構成する固定突片１５の一端の矩形穴１５ａがこの矩形突片１４ａに嵌め付けられ、この固定突片１５の他端側を図１、図２に示すように斜め上方に突出させている。
【００１５】
また、本実施の形態の車両用コンソールタワー１は、自動車電話Ｔを開口部７の領域に露出する状態の図２に示す取り出し位置と、開口部７の内方に位置する図１に示す収納位置とに渡って変位させる電話変位手段１０を備えている。
【００１６】
電話変位手段１０は、軸支部４から突設した固定突片１５と、第１リンク２０と、第２リンク２１とを具備している。
第１リンク２０は、扉部３の収納箱３Ａの側壁にシャフトネジ３１を介して基部２０ａが回動可能に支持され、一端の長穴部２０ｂを固定突片１５の他端に設けたピン１５ｂにスライド可能に係合し、他端側のスライド穴２０ｃを前記一端の長穴部２０ｂとは反対側に突出させ、前記一端の長穴部２０ｂとは同方向に突出した操作片２０ｅに設けた突出ピン２０ｄを、自動車電話Ｔを支持する支持ベース５に設けたスライド受穴５ａに回動可能に係合している。また、第２リンク２１は、扉部３の収納箱３Ａの側壁に対してシャフトネジ３１を介して基部２１ａが回動可能に支持され、一端の孔部２１ｂをシャフトネジ３１を介して第１リンク２０の他端のスライド穴部２０ｃに回動可能に係合し、他端のスライド穴部２１ｃを支持ベース５に設けた側壁長穴５ｂに長ピン３３を介して回動可能に係合している。
【００１７】
また、この第２リンク２１と並列配置の補助リンク２１’を備え、補助リンク２１’の基部２１ａ’を、扉部３の収納箱３Ａの側壁に対してシャフトネジ３１を介して回動可能に支持し、他端のスライド穴部２１ｂ’を支持ベース５に設けた側壁長穴５ｂに長ピン３３を介して回動可能に係合している。即ち、第２リンク２１と、補助リンク２１’とは、連動して回動力を支持ベース５に伝達するようになっている。
【００１８】
次に、上述した本実施の形態のテレビジョン受信機及び自動車電話Ｔ付き車両用コンソールタワー１の作用を説明する。
扉部３の閉状態、即ち、前記自動車電話Ｔの未使用の状態では、自動車電話Ｔは図１に示すように、開口部内の収納位置を占めている。
この状態で、扉部３をα方向に開操作すると、この開動作に連動して、一定位置に固定されている固定突片１５の他端に設けたピン１５ｂに対して、第１リンク２０の一端の長穴部２０ｂが図２に示す矢印ａ方向にスライド変位する。
【００１９】
この第１リンク２０の長穴部２０ｂの矢印ａ方向へのスライド変位に伴い、第１リンク２０の操作片２０ｅも矢印ａ方向へ回動し、操作片２０ｅに設けた突出ピン２０ｄが、スライド受穴５ａを介して支持ベース５を変位させ、電話載置台６上の自動車電話Ｔを図２に示す取り出し位置に持ち上げる。
【００２０】
同時に、第１リンク２０の長穴部２０ｂの矢印ａ方向へのスライド変位に伴い、第１リンク２０の他端側のスライド穴部２０ｃに第２リンク２１の一端の孔部２１ｂが係合している第２リンク２１における他端のスライド穴部２１ｃが矢印ｂ方向に回転し、これにより、第２リンク２１の他端側も、第１リンク２０と連動して支持ベース５を変位させ、電話載置台６上の自動車電話Ｔを図２に示す取り出し位置に持ち上げる。
【００２１】
この結果、扉部３をα方向に開操作するだけで、図１に示す開口部７内の収納位置から、図２に示す開口部領域に露出する使用者が持ち易い取り出し位置に自動的に上昇させることができ、自動車電話Ｔを取り出す際の使用性の向上を図ることができる。
【００２２】
一方、扉部３をβ方向に閉操作すると、電話変位手段１０の第１リンク２０、第２リンク２１の各々が上述した開動作の場合とは逆方向に回動し、扉部３のβ方向への回動とともに、支持ベース５を扉部３の内方へ変位させ、電話載置台６上の自動車電話Ｔを図１に示す収納位置へ復帰させる。
【００２３】
このようにして、扉部３の開閉動作に連動する第１リンク２０と第２リンク２１との回動変位により、支持ベース５を介して電話載置台６上の自動車電話Ｔを開口部７の領域に露出する取り出し位置と、開口部７内の収納位置とに渡って自動的に変位させることができ、自動車電話Ｔを取り出す際の使用性の向上を図れるとともに、自動車電話Ｔの収容位置への復帰も自動的かつ円滑に行うことができる。
【００２４】
【発明の効果】
請求項１記載の発明によれば、扉部の開閉動作に連動する電話変位手段の動作で自動車電話を取り出す際の使用性の向上を図ることができ、また、自動車電話の収容位置への復帰も円滑に行うことができるテレビジョン受信機及び自動車電話付き車両用コンソールタワーを提供することができる。
【００２５】
請求項２記載の発明によれば、扉部の開閉動作に連動する第１リンクの操作片と第２リンクの他端との回動変位により、支持ベースを介して自動車電話を開口部領域に露出する取り出し位置と開口部内の収納位置とに渡って変位させることができ、自動車電話を取り出す際の使用性の向上を図れるとともに、自動車電話の収容位置への復帰も円滑に行うことができるテレビジョン受信機及び自動車電話付き車両用コンソールタワーを提供することができる。
【図面の簡単な説明】
【図１】本発明の実施の形態のテレビジョン受信機及び自動車電話付き車両用コンソールタワーの扉部が閉状態の概略構成図である。
【図２】本発明の実施の形態のテレビジョン受信機及び自動車電話付き車両用コンソールタワーの扉部が開状態の概略構成図である。
【図３】本発明の実施の形態の扉部の分解斜視図である。
【図４】従来のテレビジョン受信機及び自動車電話付き車両用コンソールタワーの部分斜視図である。
【符号の説明】
１      車両用コンソールタワー
２      タワー本体
３      扉部
３Ａ    収納箱
３Ｂ    収納外箱
３Ｃ    アッパーパネル
４      軸支部
５      支持ベース
５ａ    スライド受穴
５ｂ    側壁長穴
６      電話載置台
７      開口部
１０    電話変位手段
１１    ヒンジ
１１ａ  固定フレーム
１２    軸受け機構部
１３    突出ピン
１４    軸支持体
１４ａ  矩形突片
１５    固定突片
１５ａ  矩形穴
１５ｂ  ピン
２０    第１リンク
２０ａ  基部
２０ｂ  長穴部
２０ｃ  スライド穴部
２０ｄ  突出ピン
２０ｅ  操作片
２１    第２リンク
２１’  補助リンク
２１ｂ  孔部
２１ｃ  スライド穴部
Ｔ      自動車電話
【図１】
0003837715.tif 000002
【図２】
0003837715.tif 000003
【図３】
0003837715.tif 000004
【図４】
0003837715.tif 000005